(57)【要約】【課題】簡易墓と簡易仏壇を両方兼ね備えた上、設置が容易で、しかも、室内に設置可能なため、天候、積雪に左右されずに管理・お参りが可能な簡易墓及び簡易仏壇を提供する。【解決手段】墓標２０と、御本尊と、位牌３４，写真３５と、骨箱を少なくとも収納可能な第１収納箱２，第２収納箱３，第３収納箱４を有し、  墓標２０又は御本尊は、第１収納箱２，第２収納箱３，第３収納箱４を利用して設置可能である。なお、墓標２０と御本尊は、第１収納箱２に収納され、写真３５及び位牌３４は、第２収納箱３に収納され、骨箱は、第３収納箱４に収納される。【選択図】図１
2020185197.tif 000002
【特許請求の範囲】
【請求項１】
墓標と、御本尊を少なくとも収納可能な収納箱を有し、
前記墓標又は前記御本尊は、前記収納箱を利用して設置可能である簡易墓及び簡易仏壇。
【請求項２】
前記収納箱は、
前記墓標と前記御本尊を少なくとも収納可能な第１収納箱と、
写真や絵及び位牌を少なくとも収納可能な第２収納箱と、
骨箱を少なくとも収納可能な第３収納箱と、を有し、
前記収納箱は、前記第１収納箱と前記第２収納箱と前記第３収納箱を密接に配置することで構成されてなる請求項１に記載の簡易墓及び簡易仏壇。
【請求項３】
凹部が形成されると共に支持部が形成された載置台をさらに有し、
前記載置台の前記凹部内に前記第１収納箱を設置し、
前記載置台の前記支持部に前記第２収納箱を設置し、
前記第１収納箱上には、前記第３収納箱が設置されてなる請求項２に記載の簡易墓及び簡易仏壇。
【請求項４】
前記第３収納箱には、前記第２収納箱を挿入させることで移動を規制する切欠き部が設けられてなる請求項２又は３に記載の簡易墓及び簡易仏壇。
【発明の詳細な説明】
【技術分野】
【０００１】
本発明は、簡易墓と簡易仏壇を両方兼ね備えた簡易墓及び簡易仏壇に関する。
【背景技術】
【０００２】
近年、墓地用の土地が慢性的に不足しており、比較的安価な墓地は都心からきわめて遠く離れた地方でしか購入できないものとなっている。また、現在の居住地よりきわめて遠い遠隔の地にお墓がある場合、墓地の所有者が高齢化していくと、頻繁にお墓参りにいけないとの事情もある。また、仏壇に関しても、住宅事情などから、現在市販されている仏壇を購入するのに二の足をふむといった場合もある。
【０００３】
そこで、このような事情に鑑み、簡易墓（例えば、特許文献１参照）や、簡易仏壇（例えば、特許文献２参照）が提案されている。
【先行技術文献】
【特許文献】
【０００４】
【特許文献１】実用新案登録第３０５９２４６号公報
【特許文献２】実開平０６−０００２４５号公報
【発明の概要】
【発明が解決しようとする課題】
【０００５】
しかしながら、上記のような簡易墓や、簡易仏壇はそれぞれ個々に設置しなければならず、設置に手間がかかるうえ、設置場所を確保しなければならないという問題があった。
【０００６】
そこで、本発明は、上述の事情に鑑み、簡易墓と簡易仏壇を両方兼ね備えた上、設置が容易で、しかも、室内に設置可能なため、天候、積雪に左右されずに管理・お参りが可能な簡易墓及び簡易仏壇を提供することを目的としている。
【課題を解決するための手段】
【０００７】
上記本発明の目的は、以下の手段によって達成される。なお、括弧内は、後述する実施形態の参照符号を付したものであるが、本発明はこれに限定されるものではない。
【０００８】
請求項１に係る簡易墓及び簡易仏壇は、墓標（２０）と、御本尊（２１）を少なくとも収納可能な収納箱（第１収納箱２，第２収納箱３，第３収納箱４）を有し、
前記墓標（２０）又は前記御本尊（２１）は、前記収納箱（第１収納箱２，第２収納箱３，第３収納箱４）を利用して設置可能であることを特徴としている。
【０００９】
また、請求項２に係る簡易墓及び簡易仏壇は、上記請求項１に記載の簡易墓及び簡易仏壇において、前記収納箱は、前記墓標（２０）と前記御本尊（２１）を少なくとも収納可能な第１収納箱（２）と、
写真（３５）や絵及び位牌（３４）を少なくとも収納可能な第２収納箱（３）と、
骨箱（４１）を少なくとも収納可能な第３収納箱（４）と、を有し、
前記収納箱は、前記第１収納箱（２）と前記第２収納箱（３）と前記第３収納箱（４）を密接に配置することで構成されてなることを特徴としている。
【００１０】
さらに、請求項３に係る簡易墓及び簡易仏壇は、上記請求項２に記載の簡易墓及び簡易仏壇において、凹部（５ｂ）が形成されると共に支持部（第１支持部５ｃ１、第２支持部５ｃ２）が形成された載置台（５）をさらに有し、
前記載置台（５）の前記凹部（５ｂ）内に前記第１収納箱（２）を設置し、
前記載置台（５）の前記支持部（第１支持部５ｃ１、第２支持部５ｃ２）に前記第２収納箱（３）を設置し、
前記第１収納箱（２）上には、前記第３収納箱（４）が設置されてなることを特徴としている。
【００１１】
そしてさらに、請求項４に係る簡易墓及び簡易仏壇は、上記請求項２又は３に記載の簡易墓及び簡易仏壇において、前記第３収納箱（４）には、前記第２収納箱（３）を挿入させることで移動を規制する切欠き部（４ａ２，４ｂ２）が設けられてなることを特徴としている。
【発明の効果】
【００１２】
次に、本発明の効果について、図面の参照符号を付して説明する。なお、括弧内は、後述する実施形態の参照符号を付したものであるが、本発明はこれに限定されるものではない。
【００１３】
請求項１に係る簡易墓及び簡易仏壇によれば、お墓参りをする際は、収納箱（第１収納箱２，第２収納箱３，第３収納箱４）を利用して、墓標（２０）を設置し、仏壇に手を合わせる際は、収納箱（第１収納箱２，第２収納箱３，第３収納箱４）を利用して、墓標（２０）に代え、御本尊（２１）を設置することができる。これにより、簡易墓と簡易仏壇を両方兼ね備えたものを提供することができる。また、本発明によれば、簡易墓と簡易仏壇を設置するにあたり、収納箱（第１収納箱２，第２収納箱３，第３収納箱４）を利用しているから、簡単容易に簡易墓と簡易仏壇を設置することができる。さらに、室内に設置可能なため、天候、積雪に左右されずに管理・お参りをすることができる。
【００１４】
また、請求項２に係る発明によれば、墓標（２０）と御本尊（２１）を少なくとも収納可能な第１収納箱（２）と、写真（３５）や絵及び位牌（３４）を少なくとも収納可能な第２収納箱（３）と、骨箱（４１）を少なくとも収納可能な第３収納箱（４）と、を密接に配置することで構成されている。これにより、第２収納箱（３）は不要である場合や、第３収納箱（４）は不要である場合等、使用者の要望に合わせて臨機応変に対応することができる。
【００１５】
さらに、請求項３に係る発明によれば、載置台（５）の凹部（５ｂ）内に第１収納箱（２）を設置しているから、載置台（５）にしっかりと第１収納箱（２）を載置することができる。さらに、載置台（５）の支持部（第１支持部５ｃ１、第２支持部５ｃ２）に第２収納箱（３）を設置しているから、載置台（５）から第２収納箱（３）が落下してしまう事態を低減させることができる。
【００１６】
そしてさらに、請求項４に係る発明によれば、第３収納箱（４）には、第２収納箱（３）を挿入させることで移動を規制する切欠き部（４ａ２，４ｂ２）が設けられているから、第２収納箱（３）の移動が規制されることとなる。これにより、載置台（５）から第２収納箱（３）が落下してしまう事態をより低減させることができる。
【図面の簡単な説明】
【００１７】
【図１】（ａ）は、本発明の一実施形態に係る簡易墓及び簡易仏壇の正面図、（ｂ）は、同実施形態に係る載置台上に、第１収納箱及び第２収納箱並びに第３収納箱を設置した状態の斜視図である。
【図２】（ａ）は、同実施形態に係る載置台の斜視図、（ｂ）は、同実施形態に係る載置台上に第１収納箱が載置された状態を示す斜視図、（ｃ）は、（ｂ）に示す状態からさらに第２収納箱が載置された状態を示す斜視図である。
【図３】（ａ）は、同実施形態に係る第１収納箱の分解斜視図、（ｂ）は、同実施形態に係る土台に墓標又は御本尊を立設固定しようとしている状態を示す斜視図、（ｃ）は、同実施形態に係る土台に墓標が立設固定されている状態を示す斜視図、（ｄ）は、同実施形態に係る土台に御本尊が立設固定されている状態を示す斜視図である。
【図４】同実施形態に係る第２収納箱の分解斜視図である。
【図５】（ａ）は、同実施形態に係るケースの斜視図、（ｂ）は、同実施形態に係るケースが開いた状態を示す斜視図、（ｃ）は、（ｂ）に示すＸ−Ｘ線断面図、（ｄ）は、（ｂ）に示す状態からさらに支持板と設置板を回動させて、位牌と写真をセットした状態を示す斜視図である。
【図６】（ａ）は、同実施形態に係る第３収納箱の分解斜視図、（ｂ）は、同実施形態に係る骨風呂敷の斜視図である。
【図７】（ａ）は、同実施形態に係る骨箱の分解斜視図、（ｂ）は、同実施形態に係る骨入れの分解斜視図である。
【図８】同実施形態に係る載置台上に、第１収納箱及び第２収納箱並びに第３収納箱を設置した状態で、花飾りを設置した場合の斜視図である。
【発明を実施するための形態】
【００１８】
以下、本発明に係る簡易墓及び簡易仏壇の一実施形態について、図面を参照して具体的に説明する。なお、以下の説明において、上下左右の方向を示す場合は、図示正面から見た場合の上下左右をいうものとする。
【００１９】
図１に示すように、簡易墓及び簡易仏壇１は、主に、第１収納箱２と、第２収納箱３と、第３収納箱４と、載置台５とで構成されている。この載置台５は、持ち運び可能なサイズであって、図２（ａ）に示すように、厚板矩形状の載置台本体５ａを有している。そして、この載置台本体５ａの内部には、図２（ａ）に示すように、矩形状の凹部５ｂが設けられている。そしてさらに、図２（ａ）に示すように、この載置台本体５ａの後端部５ａ１（図示左側）中央に、載置台本体５ａと略面一となるような厚みのある凸状の第１支持部５ｃ１が凹部５ｂに向かって一体的に突設されている。またさらに、図２（ａ）に示すように、この載置台本体５ａの後端部５ａ１（図示左側）中央に、載置台本体５ａと略面一となるような厚みのある横長矩形状の第２支持部５ｃ２が外方向（凹部５ｂが設けられている箇所とは逆方向）に向かって一体的に突設されている。なお、第１支持部５ｃ１と第２支持部５ｃ２の横幅は略同一に形成されている。
【００２０】
かくして、このように形成される載置台５には、図２（ｂ）に示すように、凹部５ｂ内に第１収納箱２が載置される。さらに、図２（ｃ）に示すように、第２収納箱３が、第１収納箱２の後部側（図示左側）に位置するように、第１支持部５ｃ１及び第２支持部５ｃ２上に第２収納箱３が載置されることとなる。そしてさらに、第１収納箱２上に第３収納箱４が載置されることにより、図１（特に、図１（ｂ）参照）に示すような載置状態となる。
【００２１】
しかして、このように、載置台５の凹部５ｂ内に第１収納箱２を載置するようにすれば、載置台５にしっかりと第１収納箱２を載置することができる。さらに、第１支持部５ｃ１及び第２支持部５ｃ２上に第２収納箱３を載置するようにすれば、載置台５から第２収納箱３が落下してしまう事態を低減させることができる。
【００２２】
ところで、第１収納箱２は、持ち運び可能なサイズであって、図２（ｂ）及び図３（ａ）に示すように、略横長矩形状に形成された立方体に形成され、上方が開放された有底の収納体２ａと、収納体２ａの上面を閉止する蓋体２ｂとで構成されている。この収納体２ａ内には、図３（ａ）に示すように、墓標２０と、御本尊２１と、土台２２とが収納されている。墓標２０は、図１（ａ），図３（ｂ），（ｃ）に示すように、縦長半楕円状に形成される共に、御影石等で形成され、「○×家」等の彫刻がされている。このような墓標２０は、図２（ｂ）に示すように、略台形状の土台２２の上部に設けられている凹孔２２ａ内に挿入されることにより、図２（ｃ）に示すように、土台２２上に立設固定されることとなる。
【００２３】
一方、御本尊２１は、図３（ｂ），（ｄ）に示すように、縦長半楕円状に形成される共に、プラスチック等で形成され、「南無妙法蓮華経」等と記載されている。このような御本尊２１は、図３（ｂ）に示すように、略台形状の土台２２の上部に設けられている凹孔２２ａ内に挿入されることにより、図３（ｄ）に示すように、土台２２上に立設固定されることとなる。
【００２４】
第２収納箱３は、持ち運び可能なサイズであって、図２（ｃ）及び図４に示すように、略縦長矩形状に形成された立方体に形成され、上方が開放された有底の収納体３ａと、収納体３ａの上面を閉止する蓋体３ｂとで構成されている。この収納体３ａは、図４に示すように、細縦長矩形状のケース３０が収納できるように、複数の収納孔３ａ１（図示では、３個）が設けられている。このケース３０は、図５（ｃ）に示すように、断面視楕円状の支持板３１と、その支持板３１の後端部３１ａに連結ピン３３を介して回動自在に連結されている断面視略釣針状の設置板３２と、で構成されている。この支持板３１は、図５（ａ），（ｂ）に示すように、左右に横長楕円状の左壁板３１ｂ，右壁板３１ｃが立設されている。そして、この左壁板３１ｂの前端部３１ｂ１と、右壁板３１ｃの前端部３１ｃ１とを繋ぐ略棒状の連結板３１ｄが設けられている。さらに、図５（ｂ），（ｃ）に示すように、左壁板３１ｂの底部３１ｂ２側と、右壁板３１ｃの底部３１ｃ２側とを繋ぐ、断面視矩形状の底板３１ｅが設けられている。なお、図５（ａ），（ｂ）に示すように、この連結板３１ｄの中央部分には、小さな略円形状の凹孔３１ｄ１が設けられている。
【００２５】
一方、設置板３２は、図５（ｂ），（ｃ）に示すように、逆Ｃ字状の底部３２ａ内に位牌３４や、故人やペット等の写真３５が収納できるようになっている。そして、底部３２ａの一端部３２ａ１には、断面視矩形状の載置板３２ｂが連なって設けられており、この載置板３２ｂ上に底部３２ａ内に収納された位牌３４や写真３５が載置できるようになっている。
【００２６】
かくして、図５（ｃ）に示すように、このように形成される支持板３１の後端部３１ａと、設置板３２の後端部３２ａ２とが連結ピン３３を介して連結されることにより、連結ピン３３を基点として、支持板３１及び設置板３２は回動することとなる。
【００２７】
しかして、上記のようなケース３０は、次のように使用されることとなる。すなわち、図４に示す第２収納箱３の収納体３ａの収納孔３ａ１内には、図５（ａ）に示すように、支持板３１の上面を設置板３２にて閉止している状態で収納されている。そして、図５（ａ）に示すように、このような状態のケース３０の設置板３２を、凹孔３１ｄ１に指を引っ掛けて、矢印Ｙ１方向に回動させる。これにより、図５（ｂ）に示すような状態となる。次いで、図５（ｂ）に示すように、ケース３０の設置板３２を、矢印Ｙ２方向に回動させ、さらに、ケース３０の支持板３１を、矢印Ｙ３方向に回動させれば、図５（ｄ）に示すような状態となる。この状態で、図５（ｄ）に示すように、位牌３４と写真３５が横並びになるように、位牌３４と写真３５を設置板３２の底部３２ａ内に収納させれば、図１に示すような状態となる。なお、位牌３４と写真３５をケース３０に収納する際は、上記説明した手順と逆の手順を行うようにすれば良い。
【００２８】
第３収納箱４は、持ち運び可能なサイズであって、図１（ｂ）及び図６（ａ）に示すように、略横長矩形状に形成された立方体に形成され、上方が開放された有底の収納体４ａと、収納体４ａの上面を閉止する蓋体４ｂとで構成されている。図６（ａ）に示すように、この収納体４ａの後端部４ａ１には、コ字状の切欠き部４ａ２が設けられている。さらに、蓋体４ｂの後端部４ｂ１には、コ字状の切欠き部４ｂ２が設けられている。なお、切欠き部４ａ２の横幅と切欠き部４ｂ２の横幅は略同一に形成されている。
【００２９】
しかして、このように、収納体４ａの後端部４ａ１に切欠き部４ａ２を設け、さらに、蓋体４ｂの後端部４ｂ１に切欠き部４ｂ２を設けるようにしておけば、図１（ｂ）に示すように、第１収納箱２上に第３収納箱４を載置した際、第２収納箱３の移動を規制することができる。すなわち、第１収納箱２上に第３収納箱４を載置した際、図１（ｂ）に示すように、切欠き部４ａ２及び切欠き部４ｂ２内に第２収納箱３を挿入することができる。これにより、第２収納箱３の左右の移動が規制されることとなるから、載置台５から第２収納箱３が落下してしまう事態をより低減させることができる。
【００３０】
一方、収納体４ａ内には、図６（ａ）に示すように、巾着袋状の骨風呂敷４０が収納されている。この骨風呂敷４０内には、図６（ｂ）に示すように、骨箱４１が収納されている。骨箱４１は、図６（ｂ），図７（ａ）に示すように、蒲鉾状に形成されており、上方が開放された有底の収納体４１ａと、収納体４１ａの上面を閉止する蓋体４１ｂとで構成されている。この収納体４１ａ内には、図７（ａ）に示すように、複数の骨入れ４２（図示では、３個）が収納されている。この骨入れ４２は、図７（ｂ）に示すように、有底で上方が開放された骨収納体４２ａと、この骨収納体４２ａの上方を閉止する蓋体４２ｂと、で構成されている。骨収納体４２ａは、有底で上方が開放された円筒状の骨収納本体４２ａ１を有している。この骨収納本体４２ａ１内には、人骨やペットの骨等を収納できるようになっており、表面中央部には、法名や俗名などが記載できるラベルが貼着できる凹部４２ａ２が設けられている。そして、この骨収納本体４２ａ１の上面４２ａ３中央部には、筒状の首部４２ａ４が一体的に設けられている。この首部４２ａ４には、外周面に雄ネジ４２ａ５が刻設されており、この雄ネジ４２ａ５に、蓋体４２ｂの内周部に刻設されている図示しない雌ネジが螺合することにより、骨収納体４２ａの上方が蓋体４２ｂにて閉止されることとなる。
【００３１】
なお、図１及び図６（ａ）に示す、収納体４ａの側部に設けられている半円状のものは飾り４ａ３である。
【００３２】
かくして、上述したようなものが収納されている第１収納箱２と、第２収納箱３と、第３収納箱４とは、図１（ｂ）に示すように載置されることとなる。
【００３３】
そして、図１（ｂ）に示すような載置状態で、お墓参りをしようとした場合、図１（ａ）に示すように、第１収納箱２に収納されている墓標２０を土台２２に立設固定した上で、第２収納箱３の蓋体３ｂ上に載置する。さらに、図１（ａ）に示すように、第２収納箱３に収納されている複数のケース３０のうち、一つのケース３０に、お墓参りをする故人の位牌３４及び写真３５をセットし、載置台５の前部に配置する。
【００３４】
しかして、このようにすれば、図１（ａ）に示すように、簡易的な墓を設置することができる。なお、豪華にしたい場合、図１（ａ）に示すように、載置台５の後部に屏風１０を設置し、載置台５の下に芝生をイメージした色紙１１を設置するようにしても良い。このようにすれば、より墓らしくすることができる。さらに、図８に示すように、周りに花飾りＦを設けるようにしても良い。
【００３５】
一方、仏壇に手を合わせる場合には、第２収納箱３の蓋体３ｂ上に載置されている土台２２に立設固定した墓標２０（図１（ａ）参照）を、御本尊２１を土台２２に立設固定したものに代えるようにすれば良い。このようにすれば、簡易的な墓から簡易的な仏壇に変更することができる。なお、豪華にしたい場合、お供え物等をするようにすれば良い。
【００３６】
しかして、以上説明した本実施形態によれば、お墓参りをする際は、第１収納箱２及び第２収納箱３並びに第３収納箱４を利用して、墓標２０を設置し、仏壇に手を合わせる際は、第１収納箱２及び第２収納箱３並びに第３収納箱４を利用して、墓標２０に代え、御本尊２１を設置するようにしている。これにより、簡易墓と簡易仏壇を両方兼ね備えたものを提供することができる。さらに、室内に設置可能なため、天候、積雪に左右されずに管理・お参りをすることができる。
【００３７】
また、本実施形態によれば、簡易墓と簡易仏壇を設置するにあたり、第１収納箱２及び第２収納箱３並びに第３収納箱４を利用しているから、簡単容易に簡易墓と簡易仏壇を設置することができる。
【００３８】
さらに、第１収納箱２及び第２収納箱３並びに第３収納箱４は、持ち運び可能なサイズであるから任意の場所に設置することが可能である。
【００３９】
そしてさらに、墓標２０及び／又は御本尊２１が不要な場合は、第１収納箱２に収納しておけばよく、又、位牌３４や写真３５が不要な場合は、第２収納箱３に収納しておくだけでよいため、手軽に収納することが可能である。
【００４０】
なお、本実施形態において示した形状等はあくまで一例であり、特許請求の範囲に記載された本発明の要旨の範囲内において、種々の変形・変更が可能である。例えば、本実施形態においては、第１収納箱２と、第２収納箱３と、第３収納箱４とを別々に設ける例を示したが、第１収納箱２と第２収納箱３と第３収納箱４とを一体にして一つの収納箱としても良い。この際、その一つの収納箱内に、第１収納箱２に収納されているものと、第２収納箱３に収納されているものと、第３収納箱４に収納されているものを全て収納するようにしても良い。しかしながら、第１収納箱２と、第２収納箱３と、第３収納箱４とを別々に設けた方が好ましい。例えば、位牌３４及び写真３５は不要であるから、第２収納箱３は不要であるという場合や、骨箱４１は不要であるから、第３収納箱４は不要であるという場合等が想定される。このような場合、第１収納箱２と、第２収納箱３と、第３収納箱４とを別々に設けておけば、このような要望に臨機応変に対応することができる。そのため、第１収納箱２と、第２収納箱３と、第３収納箱４とを別々に設けた方が好ましい。
【００４１】
また、本実施形態においては、墓標２０と、御本尊２１とが立設固定される土台２２として共通のものを使用する例を示したが、それに限らず、墓標２０用の土台、御本尊２１用の土台を別々に設けるようにしても良い。
【００４２】
また、本実施形態においては、一つのケース３０に、一人の故人の位牌３４及び写真３５をセットした例しか示していないが、それに限らず、複数いる場合は、位牌３４及び写真３５がセットされたケース３０を人数分複数並べて配置するようにしても良い。
【００４３】
また、本実施形態においては、写真３５を例示したが、それに限らず、似顔絵や風景画等の絵でも良い。さらに、写真３５としては、プラスチック製の板に印刷されたものでも良い。
【符号の説明】
【００４４】
１              簡易墓及び簡易仏壇
２              第１収納箱（収納箱）
３              第２収納箱（収納箱）
４              第３収納箱（収納箱）
４ａ２，４ｂ２  切欠き部
５              載置台
５ｂ            凹部
５ｃ１          第１支持部（支持部）
５ｃ２          第２支持部（支持部）
２０            墓標
２１            御本尊
３４            位牌
３５            写真
４１            骨箱
【図１】
2020185197.tif 000003
【図２】
2020185197.tif 000004
【図３】
2020185197.tif 000005
【図４】
2020185197.tif 000006
【図５】
2020185197.tif 000007
【図６】
2020185197.tif 000008
【図７】
2020185197.tif 000009
【図８】
2020185197.tif 000010